(57)【特許請求の範囲】
【請求項１】
光源と、該光源の出光面上に載置した光学部材とを備え、
前記光学部材が、シート状の本体部と、該本体部の一方の面上に配置された多数の単位光学要素と、該本体部の他方の面上に形成された微小突条とを有し、該微小突条は、シート状の本体部のシート面に垂直な法線方向から見たときに、多数の開口領域を画成する網目状パターンから成り、該網目状パターンは一つの分岐点から延びる境界線分の数の平均値Ｎが、３．０≦Ｎ＜４．０であり、且つ、前記開口領域が繰返周期を持つ方向が存在しないパターンからなる領域を含み、該微小突起が該網目状パターンの部分で前記開口領域に対して凸形状である、面光源装置。
【請求項２】
請求項１記載の面光源装置と、該面光源装置の出光面上に載置した画像表示パネルとを備える、画像表示装置。
【発明の詳細な説明】
【技術分野】
【０００１】
本発明は、光の進行方向を変化させる光学部材と、この光学部材を用いた面光源装置と、この面光源装置を用いた画像表示装置に関する。特に、単位光学要素形成側とは反対側の面を光学密着防止の為に微凹凸面にしたときに、この微凹凸によるモアレ及び輝度ムラの発生を共に解消できる光学部材と、この光学部材を用いた面光源装置と、この面光源装置を用いた画像表示装置に関する。
【背景技術】
【０００２】
画像表示装置に用いられる面光源装置は、光源と、光源からの光の進行方向を変化させる複数の光学シート（光学フィルム）と、を備えている。例えば、光学シートとして、光の進行方向を正面方向へ絞り込み、正面方向の正面輝度を向上させる集光シート、光源光を拡散させて光源の像を目立たなくさせる光拡散シート等である。そして、面光源装置は、集光シートと光拡散シートとを適宜組み合わせることで、所望の正面輝度と視野角を実現し且つ光源の像を目立たなくしている。
【０００３】
集光シートとしては、線状に延びる単位光学要素をその長手方向に直交する方向に配列（いわゆる線状配列）してなる光学シートが汎用されている。単位光学要素の形状は、その長手方向に直交する断面（主切断面とも言う）において、代表的には、三角形形状、半楕円形状又は半円形状の断面形状を有している。
【０００４】
また、光学シートは、単位光学要素が形成された面とは反対側の裏面が、他の光学部材と光学密着するのを防ぐ必要がある。
このため、例えば、特許文献１では、単位光学要素として三角柱単位プリズム等を配列したプリズム面の反対側の裏面に、高さが光源光の波長以上、１００μｍ以下の空隙形成用の微小な突起を多数ランダム配置した光学シートを提案している。裏面を単なる平滑面とせずに、この様な微小突起群を設けておくことで、光学シート裏面に導光板、画像表示パネルなどの他の表面平滑な光学部材を隣接して配置したときに、他の光学部材との光学密着による輝度面内分布の不均一化、干渉縞、光滲潤（ｗｅｔ  ｏｕｔとも言う。濡れた滲み状の輝度ムラ）等の不具合を防止することができる。この結果、光学密着による輝度の面内不均一化、干渉縞等を効果的に防げる様になる。また、微小突起群によって、その光拡散作用よる光源像の不可視化効果を付与することもできる。
【０００５】
ただ、微小突起群による光拡散作用は、正面輝度を低下させ、画像表示装置に適用したときに画像表示装置の画面が暗くなるという一面も有する。この為、特許文献２では、正面輝度を向上させる為に、単位光学要素が形成された面とは反対側の裏面に、凸状ドットという透明な半球状突起を縦横に配列した光学シートを提案している。透明な半球状突起は集光機能も有することで、正面輝度が向上する。ただ、半球状突起を縦横に一定周期で格子点状に配置すると、半球状突起の配列周期と、液晶パネル等の画素或いは単位プリズムの配列周期とが干渉し、モアレが発生し易い。
【０００６】
この様に、単位光学要素が形成された面とは反対側の裏面に配置する微小突起が周期配列されることでモアレが発生するのを防いだ光学シートとして、特許文献３及び特許文献４では、微小突起として、直方体状の微小突起を裏面にランダムに配置することで、モアレが解消し且つ正面輝度が向上する光学シートを提案している。
【先行技術文献】
【特許文献】
【０００７】
【特許文献１】特許第３５１８５５４号公報
【特許文献２】特開平６−１０２５０６号公報
【特許文献３】特許第２８５５５１０号公報
【特許文献４】特許第２７６４５５９号公報
【発明の概要】
【発明が解決しようとする課題】
【０００８】
しかしながら、特許文献３及び特許文献４が提案する、単位光学要素形成面とは反対側の裏面に、直方体状の微小突起をランダム配置した微小凹凸面とすることで、モアレが解消し且つ正面輝度が向上しても、微小突起のランダム配置の粗密によって輝度ムラが発生することがあった。
【０００９】
すなわち、本発明の課題は、単位光学要素形成面とは反対側の裏面に微小凹凸を設けた光学部材について、該微小凹凸によるモアレ解消と輝度ムラ解消とを両立させることである。また、このモアレ及び輝度ムラを解消した光学部材を用いた面光源装置及び画像表示装置を提供することである。
【課題を解決するための手段】
【００１０】
そこで、本発明では、次の様な構成の、面光源装置、及び画像表示装置とした。
（１）光源と、該光源の出光面上に載置した光学部材とを備え、前記光学部材が、シート状の本体部と、該本体部の一方の面上に配置された多数の単位光学要素と、該本体部の他方の面上に形成された微小突条とを有し、該微小突条は、シート状の本体部のシート面に垂直な法線方向から見たときに、多数の開口領域を画成する網目状パターンから成り、該網目状パターンは一つの分岐点から延びる境界線分の数の平均値Ｎが、３．０≦Ｎ＜４．０であり、且つ、前記開口領域が繰返周期を持つ方向が存在しないパターンからなる領域を含み、該微小突起が該網目状パターンの部分で前記開口領域に対して凸形状である、面光源装置。
（２）上記（１）の面光源装置と、該面光源装置の出光面上に載置した画像表示パネルとを備える、画像表示装置。
【発明の効果】
【００１１】
本発明によれば、単位光学要素によって光線を進行方向を変化させる光学部材にて、単位光学要素形成面とは反対側の裏面に形成した、本発明特有の周期性を持たない微小突条からなる微小凹凸面によって、モアレも輝度ムラも生じさせずに光学密着を防止できる。したがって、モアレ解消と輝度ムラ解消とを両立させて光学密着を防止できる。
【図面の簡単な説明】
【００１２】
【図１】本発明による光学部材の一実施形態を説明する斜視図。
【図２】単位光学要素の形状を例示する断面図。
【図３】網目状パターンの平面視形状の一例を示す平面図。
【図４】網目状パターンに、繰返周期が存在しないことを説明する平面図。
【図５】網目状パターンを設計する方法において、母点を決定する方法を示す図。
【図６】網目状パターンを設計する方法において、母点を決定する方法を示す図。
【図７】網目状パターンを設計する方法において、母点を決定する方法を示す図。
【図８】決定された母点群の分散の程度を絶対座標系と相対座標系で説明する図。
【図９】決定された母点からボロノイ図を作成して網目状パターンを決定する方法を示す図。
【図１０】網目状パターンが光学部材における微小突条の形成面の寸法の１／３以上の大きさの単位パターン領域として繰り返された一例を示す平面図。
【図１１Ａ】本発明の光学部材の微小突条を構成する網目状パターンを示す平面図。
【図１１Ｂ】画像表示パネルの画素配列を示す平面図。
【図１１Ｃ】図１１Ａと図１１Ｂとを重ねた状態を示す平面図。
【図１２】規則的パターンを有する光学部材（Ａ）と、画像表示パネルの画素配列（Ｂ）と、これらを重ねた状態（Ｃ）を示す平面図。
【図１３】微小突条を構成する網目状パターンの主切断面形状の各種例を示す断面図。
【図１４】本発明による面光源装置の形態例を示す断面図。
【図１５】本発明による画像表示装置の一形態を例示する断面図。
【発明を実施するための形態】
【００１３】
以下、本発明の実施形態について図面を参照しながら説明する。なお、図面は概念図であり、説明上の都合に応じて適宜、構成要素の縮尺関係、縦横比等は誇張されていることがある。
【００１４】
［Ａ］用語の定義：
以下に、本発明において用いる主要な用語について、その定義をここで説明しておく。
【００１５】
「シート面」とは、シート状の光学部材１０を全体的かつ大局的に見た場合において光学部材１０の平面方向と一致する面（凹凸面の場合は包絡面にも相当）のことを意味する。また、この場合、「シート面」は、本体部１の「一方の面１ｐ」或いは「他方の面１ｑ」と平行な面でもある。
本体部１の「一方の面１ｐ」は、単位光学要素２で隙間なく埋め尽くされたときは、面としては実在しない仮想的な面となる。
光学部材１０の単位光学要素２を有する側の面を示すときは「光学要素面」と呼び、この反対側の面であり網目状パターン３Ｐからなる微小突条３を有する側の面を「裏面」と呼ぶ。
「主切断面形状」とは、光学部材１０のシート面に立てた法線に平行な断面のうち、注目する要素に延在方向が存在する場合に、その延在方向に直交する断面として定義される「主切断面」に於ける形状のことを意味する。
単に「断面」乃至は「断面形状」というときの「断面」とは、シート状の光学部材１０のシート面に立てた法線に平行な断面のことを意味する。
「平面視形状」とは、光学部材１０のシート面に平行な面に於ける形状のことを意味する。言い換えると、「平面視形状」とは、光学部材１０をシート面に立てた法線の方向から見た形状のことを意味する。
【００１６】
「平滑」とは、光学的な意味合いでの平滑を意味するものである。すなわち、ここでは、或る程度の割合の可視光が、光学部材１０の入光面又は出光面においてスネルの法則を満たしながら屈折するようになる程度を意味している。したがって、例えば、本体部１の他方の面１ｑの十点平均粗さＲｚ（ＪＩＳＢ０６０１：１９９４年版）が最短の可視光波長（０．３８μｍ）以下となっていれば、十分、平滑に該当する。
「シート」、「フィルム」、「板」の用語は、呼称の違いのみに基づいて、互いから区別されるものではない。したがって、例えば、「シート」はフィルムや板とも呼ばれ得るような部材も含む概念である。
【００１７】
［Ｂ］光学部材：
先ず、本発明による光学部材を、図１の斜視図で示す一実施形態例を参照して説明する。
【００１８】
図１（Ａ）及び（Ｂ）の一実施形態例で例示する本発明の光学部材１０は、シート状の本体部１の一方の面１ｐに、多数の単位光学要素２が規則的な配列で配置されており、前記本体部１の他方の面１ｑには、本発明固有の網目状パターン３Ｐからなる微小突条３が設けられている。
同図の実施形態例においては、前記単位光学要素２は主切断面形状が二等辺三角形で、その底辺を本体部１側とする形状の単位三角柱プリズムである。
前記微小突条３を構成する網目状パターン３Ｐは、シート状の本体部１のシート面に垂直な法線方向から見たときに、多数の開口領域Ａを画成する多数の境界線分Ｌから構成され、境界線分Ｌは、一つの分岐点Ｂから延びる境界線分Ｌの数の平均値Ｎが、３．０≦Ｎ＜４．０であり、且つ、前記開口領域Ａが繰返周期を持つ方向が存在しない領域を有するパターンとなっている。前記開口領域Ａの面、つまり他方の面１ｑは平滑面である。
この為、網目状パターン３Ｐからなる微小突条３によって、モアレも輝度ムラも生じさせずに光学密着を防止できる。
【００１９】
以下、本発明による光学部材を、構成要素毎に更に詳述する。
【００２０】
《本体部》
本体部１は、単位光学要素２及び微小突条３を支持する透明な部材であり、樹脂シートの様な有機系部材の他、ガラス、セラミックスなどの無機系部材でも良い。これらは用途に応じて公知の透明な部材から適宜選択すれば良い。例えば、有機系部材として、ポリエチレンテレフタレートなどのポリエステル系樹脂、シクロオレフィン重合体などのポリオレフィン系樹脂、トリアセチルセルロースなどのセルロース系樹脂、アクリル系樹脂、ポリカーボネート系樹脂などからなる樹脂シートを用いることができる。
本体部１は、「シート状」であるが、「シート」とは前記定義欄で述べたとおり、フィルムや板も含む概念であり、厚みや剛性によって区別されるものではない。例えば、本体部１の厚みは２５μｍ〜５ｍｍである。
【００２１】
本体部１の一方の面１ｐが、単位光学要素２を有する面であり、本体部１の他方の面１ｑが微小突条３を有する面である。一方の面１ｐと他方の面１ｑとは、通常、互いに平行な面となる。
本体部１の一方の面１ｐは単位光学要素２で埋め尽くされるときは露出しない仮想的な面であり、本体部１の他方の面１ｑは、開口領域Ａが現実の露出面となる実在する面である。
【００２２】
《単位光学要素》
単位光学要素２は本体部１の一方の面１ｐに対して凸なる形状を有し、該一方の面１ｐに、多数、一次元配置又は二次元配置され光の進行方向を変化させる透明な光学要素である。この様な単位光学要素２としては、従来公知の各種形状のものを用いることができる。例えば、一次元配置される単位光学要素２としては、柱状単位プリズム、柱状単位レンズ等の柱状単位光学要素があり、これら各柱状単位光学要素の延在方向（稜線方向）と直交する方向（図１（Ａ）に於いては左右方向）に規則的又は不規則的に配列させる。こ配列を一次元配置と呼称する。二次元配置される単位光学要素２としては、四角錘等の錐体状単位プリズム、半球状単位レンズ等の突起状単位光学要素がある。これら各突起状単位光学要素をシート面内の２方向（例えば、ＸＹ面内に於けるＸ方向及びＹ方向）に規則的又は不規則的に配列させる。この配列を二次元配置と呼称する。
ここで、プリズムとは表面（空気との接触面）が平面の組み合わせからなる光学要素、レンズとは表面が単一の曲面乃至は複数の曲面の組み合わせからなる光学要素を意味する。
単位光学要素２は、その表面が平面と曲面との組み合わせからなる光学要素でも良く、この場合は平面の部分はプリズムとして機能し、曲面の部分はレンズとして機能する。
【００２３】
［一次元配置される単位光学要素］
上記一次元配置される柱状単位プリズムとしては、主切断面形状が三角形｛図２（１）参照｝の三角柱単位プリズムが代表的であるが、この他、主切断面形状が、五角形｛図２（２）参照｝、六角形などの多角柱単位プリズムでも良い。
上記一次元配置される柱状単位レンズとしては、表面部分の主切断面形状が円又は楕円の一部を成す形状｛図２（３）参照｝の円柱状単位レンズが代表的であるが、この他、表面部分の主切断面形状が、放物線、双曲線、サイクロイド、カージオイド、正規分布曲線、正弦曲線、双曲線正弦曲線、楕円関数曲線（ｓｎ関数、ｃｎ関数）、ベッセル関数曲線、ランキンの卵型曲線、等の一部を成す連続して滑らかな曲線からなる曲面柱単位レンズでも良い。
【００２４】
［二次元配置される単位光学要素］
上記二次元配置される錐体状単位プリズムとしては、断面形状が三角形｛図２（１）参照｝の円錐体又は角錐体単位プリズムが代表的であるが、この他、断面形状が台形の円錐台又は角錐台単位プリズムでも良い。
錐体状単位プリズムの一方の面１ｐに接する底面の形状は、例えば、三角形、四角形、五角形、六角形等の多角形、円、楕円等の滑らかな連続曲線形状などである。
上記二次元配置される半球状単位レンズとしては、表面部分の断面形状が円又は楕円の一部を成す形状｛図２（３）参照｝が代表的であるが、この他、放物線、双曲線、サイクロイド、カージオイド、正規分布曲線、正弦曲線、双曲線正弦曲線、楕円関数曲線（ｓｎ関数、ｃｎ関数）、ベッセル関数曲線、ランキンの卵型曲線、等の一部を成す形状でも良い。
半球状単位レンズの一方の面１ｐに接する底面の形状は、例えば、円、楕円等の滑らかな連続曲線形状、或いは、三角形、四角形、五角形、六角形等の多角形などである。
【００２５】
［変形形状］
単位光学要素２は、断面又は底面形状が変形されたものもあり得る。例えば、断面の三角形の頂点両側の両斜辺の片方又は両方を、外側又は内側に折れ曲げたり、外側又は内側に湾曲させたりした形状｛図２（４）参照｝、三角形の頂点近傍を湾曲させて丸みを帯びさせた形状（図示略）などである。
図２（１）〜図２（４）に例示の単位光学要素２は、本体部１の一方の面１ｐに対して凸なる形状であるが、例えば単位光学要素２がレンズである場合で言えば凸レンズの他に凹レンズの様に凹形状｛図２（５）参照｝でも良い。
【００２６】
［配置の様式］
一次元配置される単位光学要素２は、直線状に延びる柱状の単位光学要素２では、直線状に延びる延在方向を互いに平行にして、通常、シート面内の一方向に対して一定の周期で配列される。また、柱状の単位光学要素２は、延びる方向は、シート面に立てた法線方向から見たときの平面視形状が、円形状や波形状など曲線、折れ線などあっても良い。
二次元配置される単位光学要素２は、通常、規則格子状に一定の周期で配列される。
一次元配置及び二次元配置の場合も共に、配置は一定の周期を有する規則的な配列以外に、不規則的な配置でも良い。
【００２７】
単位光学要素２は、レンズ要素の単位光学要素２とプリズム要素の単位光学要素２とが混在して配置されていても良い。
単位光学要素２は、一次元配置される単位光学要素２と、二次元配置される単位光学要素２とが混在して配置されていても良い。
単位光学要素２は、多数配置されるとき、全て同じ形状同じ寸法のものを配置することもあるが、異なる形状、異なる寸法のものを配置することもある。
不規則性を、形状、寸法、配置の１以上に導入することで、他の部材が規則性パターンを有するときに、その規則性パターンと干渉してモアレが生じるのを防ぐことができる。
【００２８】
［寸法］
単位光学要素２の寸法は、単位三角柱プリズムである場合で示せば、例えば、一方の面１ｐに接する底辺が１０〜１００μｍ、高さが１０〜１００μｍ、頂角の角度は８０〜１２０°、配列周期は１０〜１００μｍである。
【００２９】
以上、単位光学要素２の各種形状及び配置は、集光乃至は光拡散などの要求される光学機能、及び材料の収差等の光学性能に基づいて、適宜選択される。
【００３０】
《微小突条》
微小突条３は、シート状の本体部１のシート面に垂直な法線方向から見たときに、その平面視形状が、多数の開口領域Ａを画成する網目状パターン３Ｐから成り、該網目状パターン３Ｐは特定の形状で前記開口領域Ａが繰返周期を持つ方向が存在しないパターンからなる領域を含んでいる。図１（Ｂ）、図３、図４、及び図１１Ａに図示の形態については、全領域が、該開口領域Ａが繰返周期を持たないパターンからなっている。この網目状パターン３Ｐを有する微小突条３が断面形状に於いて、該網目状パターン３Ｐの部分で前記開口領域Ａに対して凸形状となっている。
【００３１】
［網目状パターンとこれにより画成される開口領域］
網目状パターン３Ｐは、図３に示す如く、二つの分岐点Ｂの間を延びて開口領域Ａを画成する多数の境界線分Ｌから形成され、一つの分岐点Ｂから延びる境界線分Ｌの数の平均値Ｎが、３．０≦Ｎ＜４．０、つまり、３．０以上で４．０未満であり、且つ、前記境界線分Ｌで画成された前記開口領域Ａに繰返周期を持つ方向が存在しない形状となっている。
【００３２】
さらに、微小突条３が有する網目状パターン３Ｐについて、図３および図９を主として参照しながら、網目状パターン３Ｐを、シート状の光学部材１０のシート面への法線方向から観察した場合における平面視形状で、説明する。
【００３３】
図３および図９に示すように、網目状パターン３Ｐのライン部Ｌｔは、多数の分岐点Ｂを含んでいる。網目状パターン３Ｐのライン部Ｌｔは、両端において分岐点Ｂを形成する多数の境界線分Ｌから構成されている。すなわち、網目状パターン３Ｐのライン部Ｌｔは、二つの分岐点Ｂの間を延びる多数の境界線分Ｌから構成されている。そして、分岐点Ｂにおいて、境界線分Ｌが接続されていくことにより、開口領域Ａが画成されている。言葉を換えて言うと、境界線分Ｌで囲繞され、区画されて１つの閉領域としての開口領域Ａが画成されている。
【００３４】
なお、図３および図９に示すように、ライン部Ｌｔが境界線分Ｌのみから構成されているため、開口領域Ａの内部に延び入るライン部Ｌｔは存在しない。このような態様によれば、光学部材１０に十分な低いヘイズと高い正面輝度とを同時に付与することを効果的に実現することできる。
【００３５】
一方、モアレの発生を防止するため、本実施形態による光学部材１０が有する網目状パターン３Ｐでは、開口領域Ａが繰返周期を有する直線方向が存在しないようになっている領域を含む。モアレを確実に解消する為には、網目状パターン３Ｐの全領域がこのような領域のみから構成されていることが好ましい。本実施形態はこの様な構成からなる。本件発明者らは、鋭意研究を重ねた結果として、単に網目状パターン３Ｐのパターンを不規則化するのではなく、網目状パターン３Ｐの開口領域Ａが一定の規則性を持った繰返周期で並べられた方向が存在しないように網目状パターン３Ｐのパターンを画成することにより、微小突起を周期的配列した構成の光学部材と周期的画素配列を有する画像表示パネル３０とを重ねた際に生じ得るモアレを、極めて効果的に目立たなくさせることが出来ると判明した。
【００３６】
（繰返周期の不存在）
図４は、網目状パターン３Ｐで画成される多数の開口領域Ａに、繰返周期が存在しないことを説明するＸＹ平面に平行なシート面に於ける平面図である。このシート面の面内において、任意に方向を向く任意の位置に一本の仮想的な直線ｄｉが選ばれている。
この一本の直線ｄｉは、境界線分Ｌと交差し交差点が形成される。この交差点を、図面では図面左下から順に、交差点ｃ１，ｃ２，ｃ３，・・・・・，ｃ８として図示してある。隣接する交差点、例えば、交差点ｃ１と交差点ｃ２との距離が、前記或る一つの開口領域Ａの直線ｄｉ上での寸法ｔ１である。次に、開口領域Ａに直線ｄｉ上で隣接する別の開口領域Ａについても、同様に、直線ｄｉ上での寸法ｔ２が定まる。そして、任意方向で任意位置の直線ｄｉについて、直線ｄｉと交差する境界線分Ｌとから、任意方向で任意位置の直線ｄｉと遭遇する多数の開口領域Ａについて、該直線ｄｉ上における寸法として、ｔ１，ｔ２，ｔ３，・・・・・・，ｔ８が定まる。そして、ｔ１，ｔ２，ｔ３，・・・・・・，ｔ８の数値の並びには、周期性が存在しない。
図４では、このｔ１，ｔ２，ｔ３，・・・・・・，ｔ８は、判り易い様に図面下方に、直線ｄｉと共に網目状パターン３Ｐとは分離して描いてある。
この直線ｄｉを図４で図示のものから任意の角度回転させて別の方向について各開口領域Ａの寸法ｔ１，ｔ２，・・を求めると、やはり図４の場合と同様、直線ｄｉ方向に対して繰返し周期性は見られない。即ち、このｔ１，ｔ２，ｔ３，・・・・・・，ｔ８の数値の並びの様に、境界線分Ｌで画成された開口領域Ａには繰返周期を持つ方向が存在しない。
【００３７】
さらに、本実施形態による光学部材１０の微小突条３が有する網目状パターン３Ｐでは、一つの分岐点Ｂから延び出す境界線分Ｌの数の平均値Ｎが３．０≦Ｎ＜４．０となっている。このように一つの分岐点Ｂから延び出す境界線分Ｌの数の平均値Ｎが３．０≦Ｎ＜４．０となっている場合、網目状パターン３Ｐの配列パターンを、図１２（Ａ）に示された正方格子パターン（Ｎ＝４．０）から大きく異なるパターンとすることができる。また、一つの分岐点Ｂから延び出す境界線分Ｌの数の平均値Ｎが３．０＜Ｎ＜４．０となっている場合には、ハニカム配列（Ｎ＝３．０）からも大きく異なるパターンとすることができる。そして、一つの分岐点Ｂから延び出す境界線分Ｌの数の平均値Ｎを３．０≦Ｎ＜４．０とした場合、開口領域Ａの配列を不規則化して、開口領域Ａが繰返周期を持って並べられた方向が安定して存在しないようにすることが可能となり、その結果、モアレを極めて効果的に目立たなくさせることが可能となることが、確認された。
【００３８】
なお、一つの分岐点Ｂから延び出す境界線分Ｌの数の平均値Ｎは、厳密には、網目状パターン３Ｐ内に含まれる全ての分岐点Ｂについて、延び出す境界線分Ｌの数を調べてその平均値を算出することになる。ただし、実際的には、ライン部Ｌｔによって画成された一つ当たりの開口領域Ａの大きさ等を考慮した上で、一つの分岐点Ｂから延び出す境界線分Ｌの数の全体的な傾向を反映し得ると期待される面積を持つ一区画（例えば、後述の寸法例で開口領域Ａが形成されている網目状パターン３Ｐにおいては、１０ｍｍ×１０ｍｍの部分）に含まれる分岐点Ｂについて延び出す境界線分Ｌの数を調べてその平均値を算出し、算出された値を当該網目状パターン３Ｐについての一つの分岐点Ｂから延び出す境界線分Ｌの数の平均値Ｎとして取り扱うようにしてもよい。
【００３９】
実際に、図３に示された光学部材１０の微小突条３を構成する網目状パターン３Ｐでは、一つの分岐点Ｂから延び出す境界線分Ｌの数の平均値Ｎが３．０＜Ｎ＜４．０となっている。一例を挙げると、図３の網目状パターン３Ｐの場合、合計３８７個の分岐点Ｂについて計測したところ、境界線分Ｌが３本の分岐点Ｂが３７３個、境界線分Ｌが４本の分岐点Ｂが１４個であり（分岐する境界線分Ｌの数が５個以上の分岐点は０個）、分岐点Ｂから出る境界線分Ｌの平均本数（平均分岐数）は３．０４個であった。
【００４０】
（モアレ発生状況）
そして、図１１Ｃには、図３及び図１１Ａに示された光学部材１０の微小突条３が有する網目状パターン３Ｐを、図１１Ｂに示された画像表示パネル３０に於ける典型的な画素配列上に重ねた状態が示されている。図１１Ｃからも理解され得るように、図３及び図１１Ａに示された網目状パターン３Ｐを実際に作製して画像表示パネル３０の画素配列上に配置した場合、視認され得る程度の縞状の模様、すなわちモアレ（干渉縞）は発生しなかった。
なお、これら図面では、網目状パターン３Ｐはそのパターンが判り易い様に、黒く誇張して描いてあるが、実物は無色透明な物である。
【００４１】
ここで、図１１Ｂで示された画像表示パネル３０の画素配列は、画像表示パネル３０に於ける典型的な画素配列である。図１１Ｂに示す様に、この画像表示パネル３０では、一つの画素Ｐは、赤色に発光する副画素（サブピクセル）ＲＰと、緑色に発光する副画素ＧＰと、青色に発光する副画素ＢＰと、から構成されている。すなわち、画像表示パネル３０はカラーで画像を形成することができる。図１１Ｂに示された例は、いわゆるストライプ配列として、画素Ｐが形成されている。すなわち、赤色に発光する副画素ＲＰ、緑色に発光する副画素ＧＰおよび青色に発光する副画素ＢＰは、それぞれ、一つの方向（図１１Ｂでは縦方向）に連続して並べられている。一方、赤色に発光する副画素ＲＰ、緑色に発光する副画素ＧＰおよび青色に発光する副画素ＢＰは、当該一つの方向に直交する方向（図１１Ｂでは横方向）に、一つずつ、順に並べられている。なお、図１１Ｂは、画像表示パネル３０の画像形成面（出光面、即ち画面）への法線方向、言い換えると、画像表示パネル３０のパネル面への法線方向から当該画像表示パネル３０を観察した状態で、画素Ｐの配列を示している。
【００４２】
一方、網目状パターン３Ｐで画成される開口領域Ａが所定の繰返周期で配列している場合のモアレ発生を例示するのが図１２である。同図でも、網目状パターン３Ｐはそのパターンが判り易い様に、黒く描いてある。
【００４３】
図１２（Ａ）に図示したものは、正方格子状パターンで形成され、縦横方向に所定の周期で配列した繰返周期パターン５３Ｐから構成される微小突条５３を有した光学部材であり、本発明の光学部材１０とは異なるものである。また、図１２（Ｃ）には、図１２（Ａ）に示された繰返周期を有する光学部材５０の繰返周期パターン５３Ｐを、図１２（Ｂ）に示された画像表示パネル３０（図１１Ｂで示したものと同じである）に於ける典型的な画素配列上に重ねた状態が示されている。図１２（Ａ）、図１２（Ｂ）及び図１２（Ｃ）からも理解され得るように、繰返周期パターン５３Ｐからなる微小突条５３が画像表示パネル３０の画素配列上に配置されると、微小突条５３を構成する繰返周期パターン５３Ｐの規則的パターンと画素の規則的パターンとの干渉によって、明暗の筋（図１２（Ｃ）に示された例では、左上から右下に延びている明暗の筋）が視認されるようになる。
【００４４】
なお、図１２（Ａ）および図１２（Ｃ）に示された例では、繰返周期パターン５３Ｐによって形成された正方格子の配列方向が、画素Ｐの配列方向に対して、数度傾斜している。この傾斜角をバイアス角（度）と呼称する。このような傾斜は、一般的に、モアレを目立たなくさせるものとして広く用いられている手法である。但し、図１２（Ｃ）に縞状模様が視認されることからも理解され得るように、モアレ発生の程度は単にバイアス角のみで決まる訳では無く、この他、画素Ｐ及び繰返周期パターン５３Ｐの繰返周期比、繰返周期パターン５３Ｐの線幅等の要因にも依存する。繰返周期パターン５３Ｐのバイアス角のみでモアレを解消しようとすると、画像表示パネル３０の設計仕様毎に応じてバイアス角の異なる光学部材を用意する必要が有る。
【００４５】
（網目状パターンのパターン形状の作成方法）
ここで、一つの分岐点Ｂから延び出す境界線分Ｌの数の平均値Ｎが３．０≦Ｎ＜４．０であり且つ開口領域Ａが一定の規則性を持った繰返周期で並べられた直線方向が存在しない網目状パターン３Ｐのパターンを作製する方法の一例を以下に説明する。
【００４６】
ここで説明する方法は、母点を決定する工程と、決定された母点からボロノイ図を作成する工程と、ボロノイ図における一つのボロノイ境界によって結ばれる二つのボロノイ点の間を延びる境界線分Ｌの経路を決定する工程と、決定された経路の太さを決定して各境界線分Ｌを画定して網目状パターン３Ｐ（ライン部Ｌｔ）のパターンを決定する工程と、を有している。以下、各工程について順に説明していく。なお、上述した図３に示されたパターンは、実際に以下に説明する方法で決定されたパターンである。
【００４７】
まず、母点を決定する工程について説明する。最初に、図５に示すように、絶対座標系Ｏ−Ｘ−Ｙ（この座標系Ｏ−Ｘ−Ｙは普通の２次元平面であるが、後述の相対座標と区別する為、頭に「絶対」を付記する）の任意の位置に一つ目の母点（以下、「第１の母点」と呼ぶ）ＢＰ１を配置する。次に、図６に示すように、第１の母点ＢＰ１から距離ｒだけ離れた任意の位置に第２の母点ＢＰ２を配置する。言い換えると、第１の母点ＢＰ１を中心として絶対座標系ＸＹ上に位置する半径ｒの円の円周（以下、「第１の円周」と呼ぶ）上の任意の位置に、第２の母点ＢＰ２を配置する。次に、図７に示すように、第１の母点ＢＰ１から距離ｒだけ離れ且つ第２の母点ＢＰ２から距離ｒ以上離れた任意の位置に、第３の母点ＢＰ３を配置する。その後、第１の母点ＢＰ１から距離ｒだけ離れ且つその他の母点ＢＰ２，ＢＰ３から距離ｒ以上離れた任意の位置に、第４の母点を配置する。
【００４８】
このようにして、次の母点を配置することができなくなるまで、第１の母点ＢＰ１から距離ｒだけ離れ且つその他の母点から距離ｒ以上離れた任意の位置に母点を配置していく。その後、第２の母点ＢＰ２を基準にしてこの作業を続けていく。すなわち、第２の母点ＢＰ２から距離ｒだけ離れ且つその他の母点から距離ｒ以上離れた任意の位置に、次の母点を配置する。第２の母点ＢＰ２を基準にして、次の母点を配置することができなくなるまで、第２の母点ＢＰ２から距離ｒだけ離れ且つその他の母点から距離ｒ以上離れた任意の位置に母点を配置していく。その後、基準となる母点を順に変更して、同様の手順で母点を形成していく。
【００４９】
以上の手順で、網目状パターン３Ｐが形成されるべき領域内に母点を配置することができなくなるまで、母点を配置していく。網目状パターン３Ｐが形成されるべき領域内に母点を配置することができなくなった際に、母点を作製する工程が終了する。ここまでの処理により、２次元平面（ＸＹ平面）に於いて不規則的に配置された母点群が、網目状パターン３Ｐが形成されるべき領域内に一様に分散した状態となる。
【００５０】
このような工程で２次元平面（ＸＹ平面）内に分布された母点群ＢＰ１、ＢＰ２、・・、ＢＰ６（図８（Ａ）参照）について、個々の母点間の距離は一定では無く分布を有する。但し、任意の隣接する２母点間の距離Ｒの分布は完全なランダム分布（一様分布）でも無く、平均値ＲAVGを挾んで上限値ＲMAXと下限値ＲMINとの間の範囲ΔＲ＝ＲMAX−ＲMINの中で分布している。なお、ここで、隣接する２母点であるが、母点群ＢＰ１、ＢＰ２、・・からボロノイ図を作成した後、２つのボロノイ領域ＸＡが隣接していた場合に、その２つのボロノイ領域ＸＡの母点同士が隣接していると定義する。
【００５１】
即ち、ここで説明した母点群について、各母点を原点とする座標系（相対座標系ｏ−ｘ−ｙと呼称し、一方、現実の２次元平面を規定する座標系を絶対座標系Ｏ−Ｘ−Ｙと呼称する）上に、原点に置いた母点と隣接する全母点をプロットした図８（Ｂ）、図８（Ｃ）、・・等のグラフを全母点について求める。そして、これら全部の相対座標系上の隣接母点群のグラフを、各相対座標系の原点ｏを重ね合わせて表示すると、図８（Ｄ）の如きグラフが得られる。この相対座標形上での隣接母点群の分布パターンは、母点群を構成する任意の隣接する２母点間の距離が０から無限大迄の一様分布では無く、原点ｏからの距離がＲAVG−ΔＲからＲAVG＋ΔＲ迄の有限の範囲（半径ＲMINからＲMAX迄のドーナツ形領域）内に分布していることを意味する。
【００５２】
以上の様にして、各母点間の距離を設定することによって、該母点群から以下に説明する方法で得られるボロノイ領域ＸＡ、更には、これから得られる開口領域Ａの外接円直径（乃至は開口領域Ａの面積）の分布についても、一様分布（完全ランダム）では無く、有限の範囲内に分布したものとなる。
この様に構成することにより、網目状パターン３Ｐを目視した際の濃淡（明暗）ムラが、より一層、効果的に解消する。網目状パターン３Ｐの目視時の濃淡ムを、実質上、目視不能とし、且つ網目状パターン３Ｐの非周期性によるモアレ防止性とも両立する為には、開口領域Ａの外接円直径Ｄ（開口領域Ａの大きさ）の最大値をＤMAX、最小値をＤMINとしたときに、当該外接円直径の分布範囲ΔＤ＝ＤMAX−ＤMINがＤの平均値ＤAVGに対して、
０．１≦ΔＤ／ＤAVG≦０．６
より好ましくは、
０．２≦ΔＤ／ＤAVG≦０．４
とする。
【００５３】
なお、以上の母点を決定する工程において、距離ｒの大きさを変化させることにより、一つあたりの開口領域Ａの大きさを調節することができる。具体的には、距離ｒの大きさを小さくすることにより、一つあたりの開口領域Ａの大きさを小さくすることができ、逆に距離ｒの大きさを大きくすることにより、一つあたりの開口領域Ａの大きさを大きくすることができる。
【００５４】
次に、図９に示すように、配置された母点を基準にして、ボロノイ図を作成する。図９に示すように、ボロノイ図とは、隣接する２つの母点ＢＰ、ＢＰ間に垂直二等分線を引き、その各二等分線同士の交点で結ばれた線分で構成される図である。ここで、二等分線の線分をボロノイ境界ＸＢと呼び、ボロノイ境界ＸＢの端部をなすボロノイ境界ＸＢ同士の交点をボロノイ点ＸＰと呼び、ボロノイ境界ＸＢに囲まれた領域をボロノイ領域ＸＡと呼ぶ。
【００５５】
図９のように作成されたボロノイ図において、各ボロノイ点ＸＰが、網目状パターン３Ｐの分岐点Ｂをなすようにする。そして、一つのボロノイ境界ＸＢの端部をなす二つのボロノイ点ＸＰの間に、一つの境界線分Ｌを設ける。この際、境界線分Ｌは、図３に示された例のように二つのボロノイ点ＸＰの間を直線状に延びるように決定してもよいし、あるいは、他の境界線分Ｌと接触しない範囲で二つのボロノイ点ＸＰの間を種々の経路（例えば、円（弧）、楕円（弧）、抛物線、双曲線、正弦曲線、双曲線正弦曲線、楕円函数曲線、ベッセル関数曲線等の曲線状、折れ線状等の経路）で延びるようにしてもよい。なお、境界線分Ｌは、図３に示された例のように二つのボロノイ点ＸＰの間を直線状に延びるように決定した場合、各ボロノイ境界ＸＢが、境界線分Ｌを画成するようになる。
【００５６】
各境界線分Ｌの経路を決定した後、各境界線分Ｌの線幅（太さ）を決定する。境界線分Ｌの線幅は、微小突条３が光学密着防止効果と共に、光学部材１０の本来の光学特性を損なわない様に、決定される。以上のようにして、網目状パターン３Ｐのパターンを決定することができる。
【００５７】
以上のような本実施形態によれば、光学部材１０の微小突条３が有する網目状パターン３Ｐが、二つの分岐点Ｂの間を延びて開口領域Ａを画成する多数の境界線分Ｌから形成されており、一つの分岐点Ｂから延びる境界線分Ｌの数の平均値Ｎが３．０≦Ｎ＜４．０となっており、且つ、開口領域Ａが繰返周期を持つ方向が存在しないようになっている。この結果、規則的（周期的）に画素Ｐが配列された画像表示パネル３０に、この光学部材１０を重ねたとしても、縞状の模様（モアレ、干渉縞）が視認され得る程度に発生することを効果的に防止することができる。
【００５８】
（単位パターン領域としての繰返し）
さらに、上述した実施形態では、光学部材１０中の微小突条３の全領域において、該微小突条３が有する網目状パターン３Ｐによって画成される開口領域Ａが繰返周期を持つ方向が存在しないようになっている例を説明した。しかしながら、図１０の様に、その内部に於いて微小突条３が有する網目状パターン３Ｐの全領域が、複数の開口領域Ａが、所定の繰返周期のないパターンで配列されている領域（単位パターン領域Ｓ）を複数集合して網目状パターン３Ｐの全領域が構成されているようにしてもよい。即ち、この形態に於いては、網目状パターン３Ｐの全領域中に、局所的に見たときに、同一パターンで開口領域群が配列されてなる単位パターン領域Ｓを２箇所以上含むようになる。この場合、特定方向について、一定周期で４箇所以上の繰返しが無ければ、単位パターン領域Ｓ同士の繋ぎ目は実質上目立ち難く、無視し得る。もちろん、単位パターン領域Ｓ中でモアレも濃淡ムラも生じていない。この例において、一つの単位パターン領域Ｓ内における網目状パターン３Ｐのパターンは、例えば、図５〜図９を参照しながら説明したパターン作成方法と同様にして作成することができる。
特に最近では、画像表示パネル３０の大型化が進んでおり、この様な大画面の画像表示パネル３０に対しては、微小突条３が有する網目状パターン３Ｐが、複数の単位パターン領域Ｓの配列から構成されていて、且つ各々の単位パターン領域Ｓ内に於いては互いに同一のパターンで開口領域Ａが配列されている構成とした複数の単位パターン領域Ｓを含む形態とした方が、網目状パターン３Ｐのパターン作成を格段に容易化することが可能となる点において好ましい。
【００５９】
なお、特に一種類の単位パターン領域Ｓを図１０に示す様に縦横に複数配置する例においては、特定方向（図面縦方向と横方向の２方向）で単位パターン領域Ｓとしての繰返しが存在する。図１０の実施形態に於いては、横方向に繰返周期ＳＰ２、縦方向に繰返周期ＳＰ１を以って単位パターン領域Ｓが繰り返される。この条件下では、特定方向に於ける単位パターン領域Ｓの寸法をＬｓとし、該特定方向に延びる任意の直線ｄｊ上において単位パターン領域Ｓが寸法Ｌｓ内に開口領域ＡをＮ個有するとき、直線ｄｊ上の或る開口領域Ａに注目すると、直線ｄｊ上では開口領域Ａの個数がＮ個分だけ離れた位置には、全く同じ寸法ｔｊ及び形状の開口領域Ａが常に存在するという規則性を有する。しかし、この規則性は、単位パターン領域Ｓとしての繰返周期（前記で言えば寸法Ｌｓがその繰返周期に該当する）に基づくものであり、開口領域Ａとしての繰返周期ではなく、各単位パターン領域Ｓ内に於いて開口領域Ａが繰返周期を上記特定方向に持つことではない。また、単位パターン領域Ｓとしての繰返周期は、ディスプレイパネルの画素配列の配列周期に対して寸法が例えば１０００倍以上異なる為に、モアレが発生する様な近い寸法関係にない。
【００６０】
なお、図１０に示された例では、光学部材１０が、同一の形状を有した六つの単位パターン領域Ｓに分割され、各単位パターン領域Ｓ内で微小突条３が有する網目状パターン３Ｐが同一に構成されている。そして、六つの単位パターン領域Ｓは、図１０の縦方向（図の上下方向）に繰返周期ＳＰ１で三つの領域が並ぶとともに、図１０の横方向に二つの領域が並ぶように配列されている。
【００６１】
［微小突条を構成する網目状パターンの主切断面形状］
微小突条３が有する網目状パターン３Ｐの主切断面形状は、光学密着を防止できる形状であれば特に限定はない。例えば、図１３の断面図の如くの形状を選び、微小突条３の主切断面形状をレンズ又はプリズム形状とし、且つその寸法（底辺幅及び突出高さ）を光源光の可視光線スペクトルの最長波長以上（通常は、多少余裕を見込んで５μｍ以上）として、レンズ又はプリズムとしても機能させる様に設計すれば、光源光を拡散又は集光させて、正面輝度の向上や視野角の拡大の機能も付与することが出来る。中、図１３（１）は長方形（含む正方形）、図１３（２）は台形、図１３（３）は円又は楕円の一部、図１３（４）は三角形、図１３（５）は三角形や台形の斜辺が外側に向かって凸形状に変調された形状（図は三角形の場合）、この他、図示は省くが、五角形、六角形などである。図面は概念的なものであり、断面形状の角は製造上の造形精度や形状耐久性などを勘案して、丸みを帯びていることがある。
【００６２】
［微小突条の寸法］
網目状パターン３Ｐを構成する微小突条３の寸法は、網目状パターン３Ｐを構成する境界線分Ｌの線幅で１〜１００μｍ程度である。微小突条３の高さは、光学部材１０の本体部１と隣接する表面平滑な他の光学部材との光学密着（による不具合）防止性の点からは、光源光中の可視光線スペクトルの最短波長０．３８μｍ以上とする必要が有り、より好ましくは、光源光中の可視光線スペクトルの最長波長０．７８μｍ以上とする。又、１００μｍを超えても光学密着防止効果は既に飽和している上、微小突条３が視認され易くなる、破損し易くなる等の不具合を生じる。よって、これらの兼ね合いから、微小突条３の本体部からの好ましい突出高さは、１〜１００μｍ程度である。境界線分Ｌの線幅は、網目状パターン３Ｐの全領域にて同一とする必要はない。
網目状パターン３Ｐが画成する開口領域１Ａの寸法は、開口領域１Ａを内接する外接円の直径にて５〜５０００μｍ、好ましくは１０〜５００μｍ程度である。
【００６３】
［微小突条の材料］
微小突条３は、透明材料から構成すれば良く、該透明材料としては基本的には特に制限はなく、樹脂材料、或いは本体部が特に無機材料であるときはガラスやセラミックス等の無機材料を用いても良い。なかでも、樹脂材料は、形成が容易な点で好ましい。該透明材料としては、アクリル樹脂、ポリカーボネート樹脂、スチレン樹脂等の熱可塑性樹脂でも良いが、固化が迅速などの点で、好ましくは、硬化性樹脂、それも、紫外線や電子線で硬化する電離放射線硬化性樹脂を用いるのが良い。電離放射線硬化性樹脂としては、アクリレート系、エポキシ系、ポリエステル系などの樹脂が挙げられる。
【００６４】
《単位光学要素及び微小突条の本体部への形成法》
単位光学要素２を本体部１の一方の面１ｐに形成する方法、及び微小突条３を本体部１の他方の面１ｑに形成する方法は、特に限定されない。成形法など公知の各種形成方法を適宜採用して形成することができる。
【００６５】
［単位光学要素］
単位光学要素２は、本体部１との界面となる一方の面１ｐにおいては、一方の面１ｐを透過する透過光に対して積極的に光学的作用を機能させる必要はない。この為、単位光学要素２は本体部１と一体的に成形することもできる。
本体部１の一方の面１ｐは仮想的な面であるから、本体部１の一方の面１ｐの外側（単位光学要素２側）と内側とは、同じ材料から構成されても良いし、異なる材料から構成されても良い。
【００６６】
この様に、本体部１の一方の面１ｐ上に単位光学要素２を形成するための成形法としては、例えば、下記の成形法乃至は成形型を利用して成形できる。この成形型の型面には、単位光学要素２とは逆凹凸形状の凹凸が形成されている。
【００６７】
ａ）円筒状の成形型の型面に未硬化では液状の電離放射線硬化性樹脂を塗布後、塗布面に樹脂シートを押し付けた後、型面上で樹脂を硬化させ、その後樹脂シートを剥がして該硬化性樹脂面に賦型する賦型法、
ｂ）円筒状の成形型と押圧ロール間にＴダイ等から押し出した溶融樹脂を供給して該成形型面で樹脂を冷却固化することによって、成形する溶融押出成形法、
ｃ）射出成形法、
ｄ）加熱された成形型と金属板や金属ロール間に樹脂を挟んで加熱加圧し、冷却固化後離型する熱プレス法、
ｅ）成形型に樹脂を積層後、成形型を剥がして樹脂面に型面の形状を転写する転写法。
【００６８】
（本体部１の構成と一方の面１ｐ）
上記成形法の説明にて、樹脂シートと樹脂材料とを用いる場合で説明すると、上記ａ）賦型法などの方法によれば、樹脂材料を成形型と樹脂シートとの間の全面に介在させることで、樹脂シートは成形型の型面に接触していない状態で、樹脂材料を硬化させて単位光学要素２を樹脂シート上に成形することもできる。この結果、本体部１は、樹脂シートとシート状に硬化した樹脂材料とから構成されるようになる。また、樹脂シートが成形型の型面に接触している状態で、樹脂材料を硬化させて単位光学要素２を樹脂シート上に成形することもでき、この場合は、本体部１は、樹脂シートのみから構成されるようになる。従って、一方の面１ｐとは、後者の場合は樹脂シートの表面となり、前者の場合は、硬化した樹脂材料の内部の仮想的な面となる。
【００６９】
［微小突条］
微小突条３は、本体部１の他方の面１ｑ上に、開口領域Ａに対して凸形状となる網目状パターン３Ｐを呈する平面視形状の光学要素として形成される。開口領域Ａは露出面であり、本体部１の他方の面１ｑそれ自体とすることができ、また通常、他方の面１ｑそれ自体である。
微小突条３は、本体部１との界面となる他方の面１ｑにおいては、他方の面１ｑを透過する透過光に対して積極的に光学的作用を機能させる必要はない。この為、微小突条３は本体部１と一体的に成形することもできる。
【００７０】
この様な微小突条３は、上記した単位光学要素２を本体部１を一方の面１ｐ上に形成する成形方法で述べたと同様の方法で形成することができる。すなちわ、成形型として、その型面を微小突条３とは逆凹凸形状の凹凸が形成された型を用いる。この際、微小突条３の方が単位光学要素２よりも通常は高さが小さいので、微小突条３を先に形成してから、微小突条３を形成した樹脂シートなど本体部１とする部材に対して、単位光学要素２を形成するのが、単位光学要素２の形状が崩れない点で好ましい。ただ、両方の成形型を用意し、樹脂シートに対して一回のパスで樹脂シートの表裏の夫々に、微小突条３と単位光学要素２とを連続して成形することも可能である。
尚、微小突条３と本体部１とは、同じ材料から構成されても良いし、異なる材料から構成されても良い。
【００７１】
微小突条３は、成形法以外の形成方法として、印刷法によって形成しても良い。印刷法では、微小突条３を構成する網目状パターン３Ｐに対応する画線を印刷する。印刷法では、樹脂材料をインク化したものを用いる。印刷法としては、凹版印刷、シルクスクリーン印刷、オフセット印刷、活版印刷、インクジェット印刷等、公知の印刷法を採用できる。
【００７２】
《変形形態》
本光学部材１０は、上記した実施形態及び構成以外に、例えば下記の様に、更にその他の構成要素を加えた形態としても良い。
【００７３】
本体部１が、一方の面１ｐと他方の面１ｑとの間に光拡散層を有してもよい。光拡散層は、光拡散剤をマトリックス中に分散した層として形成することができる。光拡散層は一方の面１ｐ或いは他方の面１ｑに接していても良い。光拡散層により、光拡散機能を付与できる。
光学部材１０の入光面とする部分の面に、直下の層よりも相対的に低屈折率の低屈折率層からなる反射防止層を形成しても良い。反射防止層によって、光学部材１０への入射光の反射損失を低減できる。
光学部材１０は帯電防止層を有していてもよい。帯電防止層は、本体部１、単位光学要素２、微小突条３のいずれか１以上を兼用することもできる。帯電防止層によって光学部材１０に帯電防止機能が付与され、埃等の異物付着を低減し、光学特性への悪影響を抑制できる。
【００７４】
また、上記した実施形態に於いては、光学部材１０の本体部１の他方の面１ｑの全領域が、開口領域Ａが繰返周期を有する方向が存在しない網目状パターン３Ｐのみから構成されていた。
しかしながら、画像表示パネルの画素や単位光学要素の周期的配列とのモアレが実質上無視し得る範囲内であるならば、一部、開口領域Ａが一定の繰返周期で配列する方向が存在するような網目状パターン３Ｐを採用しても良い（勿論、この様な特定方向以外は、開口領域Ａが一定の繰返周期で配列しないと共に、本発明のこの他要件は具備する）。本発明の網目状パターン３Ｐには、このような形態も包含する。
【００７５】
［Ｃ］面光源装置：
本発明による面光源装置は、光源と、該光源の出光面上に載置した上記本発明の光学部材１０と、を少なくとも備える。
本発明による面光源装置を、図１４（Ａ）に例示する一実施形態例の面光源装置１００を参照して説明する。本実施形態による面光源装置１００では、光源２０と、この光源２０の平面状の出光面２０ａ上に隣接して配置された光学部材１０とを備える。光学部材１０は、図１等で例示した本発明の光学部材１０である。
光学部材１０が光源２０の出光面２０ａに接して配置されていても、光学部材１０が備える微小突条３によって、モアレも輝度ムラも生じさせずに光学密着が防止される。
【００７６】
本実施形態例では、光源２０は、出光面２０ａが平面状となる面光源であり、この面光源の光源２０としては、公知の光源を採用できる。
例えば、発光源として、面状発光体の電界発光パネル（ＥＬパネル）を用いれば、そのまま面光源の光源２０として用いることができる。また、発光源として、線状発光体の冷陰極管、点状発光体の発光ダイオード（ＬＥＤ）を用いるときは、導光板、光拡散板、光反射板などを適宜組み合わせて、出光面２０ａが平面状となる様に、エッジライト（サイドライト）型又は直下型として光源２０構成する。言い換えると、この場合、光源２０は光源モジュールとも言える。
【００７７】
出光面２０ａが仮想的な面（例えば、直下型の面光源で発光体から光学部材１０に至る部分に空間を有する場合など）であるときは光学密着が生じない。したがって、本光学部材１０によるモアレ及び輝度ムラを共に防いで光学密着を防止する効果は、出光面２０ａが中実の物体と空気との界面となる実在の面を有する光源２０に対してである。
【００７８】
面光源装置１００は、光源２０及び光学部材１０以外に、更にその他の部材を備えていても良く、その他の部材としては、面光源装置における公知の各種部材を適宜採用することができる。その他の部材の例を挙げれば、偏光分離フィルム等の輝度向上フィルム、光拡散フィルム、偏光フィルム、位相差フィルム等である。
【００７９】
面光源装置１００としては、光学部材１０の光源２０に対する向きは、図１４（Ａ）の様に、微小突条３側を光源２０側とする向きでも良いが、これとは逆に、図１４（Ｂ）の様に、単位光学要素２側を光源２０側とする向きでも良い。後者の場合は、面光源装置１００上に載置する画像表示パネル等の光学部材との光学密着防止を、モアレ及び輝度ムラ発生を防ぎつつ防止することができる。
これらの図面において、図面上方の面光源装置１００としての出光面側が、画像表示パネルが配置されその画像の観察者Ｖ側となる。
また、光学部材１０は一枚の配置の他、２枚など複数枚を重ねて配置してもよい。複数枚配置することで、例えば、単位光学要素２が柱状単位光学要素であり光学特性がシート面方向で方向性を有する場合に、複数の方向にその方向性を有する光学特性を配することができる。
【００８０】
［Ｄ］画像表示装置：
本発明による画像表示装置は、上記の本発明による面光源装置１００と、該面光源装置１００の出光面上に載置した画像表示パネルとを少なくとも備える。
本発明による画像表示装置を、図１５に例示する一実施形態例の画像表示装置１０００を参照して説明する。図１５に例示する画像表示装置１０００は、上記した様な光学部材１０を備える面光源装置１００と、この面光源装置１００の出光面１００ａ上に配置された画像表示パネル３０とを備える、表示装置である。本画像表示装置１０００は、面光源装置１００及び画像表示パネル３０以外に、筐体（キャビネット）、入出力部品等の他、画像表示装置の用途に応じて、例えば、テレビジョン受像機の場合はチューナ等の、公知の各種部品を備える。これらのその他の構成要素は、特に制限はなく、用途に応じたものとなる。
【００８１】
画像表示パネル３０は、液晶パネルなどの透過型で画像を表示可能な表示パネルである。画像表示パネル３０としては、ディスプレイ駆動回路等の各種回路、該駆動回路とディスプレイパネル本体間の配線、これらを一体化するシャーシ、フレーム、タッチパネル等を含んでいても良い。従って、画像表示パネル３０は、「ディスプレイモジュール」乃至は「パネルモジュール」等と呼ぶこともできる。
【００８２】
この様な構成の画像表示装置１０００とすることによって、その面光源装置１００には上記光学部材１０が使用されているので、画像の観察者Ｖ側から画像表示装置１０００を見たときに、該光学部材１０が備える微小突条３によって、モアレも輝度ムラも生じさせずに光学密着が防止された装置となる。
【００８３】
［Ｅ］用途：
本発明による光学部材１０は、面光源装置用の光学部材として好適であり、この光学部材１０を備える面光源装置１００は、透過型表示装置のバックライトとして好適であり、この面光源装置１００を備える画像表示装置１０００は、テレビジョン受像機、測定機器や計器類、事務用機器、医療機器、電算機器、電話機、電子看板、遊戯機器、デジタルフォトフレーム等の画像表示装置として好適である。
【符号の説明】
【００８４】
１    本体部
１ｐ  一方の面
１ｑ  他方の面
２    単位光学要素
３    微小突条
３Ｐ  網目状パターン
１０    光学部材
２０    光源
２０ａ  出光面
３０    画像表示パネル
１００    面光源装置
１００ａ  出光面
１０００    画像表示装置
Ａ    開口領域
Ｂ    分岐点
ＢＰ  母点
Ｌ    境界線分
Ｌｔ  ライン部（境界線分の集合）
Ｓ    単位パターン領域
Ｖ    観察者
【図１】
0005716507.tif 000002
【図２】
0005716507.tif 000003
【図３】
0005716507.tif 000004
【図４】
0005716507.tif 000005
【図５】
0005716507.tif 000006
【図６】
0005716507.tif 000007
【図７】
0005716507.tif 000008
【図８】
0005716507.tif 000009
【図９】
0005716507.tif 000010
【図１０】
0005716507.tif 000011
【図１１Ａ】
0005716507.tif 000012
【図１１Ｂ】
0005716507.tif 000013
【図１１Ｃ】
0005716507.tif 000014
【図１２】
0005716507.tif 000015
【図１３】
0005716507.tif 000016
【図１４】
0005716507.tif 000017
【図１５】
0005716507.tif 000018